(57)【要約】【課題】  トランスの焼損を防止することができるネットワークインターフェースを提供する。【解決手段】  伝送路２０に対する信号の送受信を行うトランス１２と、トランス１２の伝送路２０側の巻き線に直列に接続され伝送路２０と巻き線とを直流的に切断する直流切断部１３とを有する構成にした。【選択図】        図１
2005277695.tif 000002
【特許請求の範囲】
【請求項１】
伝送路に対する信号の送受信を行うトランスと、
前記トランスの伝送路側の巻き線に直列に接続され，前記伝送路と前記巻き線とを直流的に切断する直流切断手段と、
を有することを特徴とするネットワークインターフェース。
【請求項２】
前記直流切断手段は、前記信号の周波数に応じた通過帯域を有する複数の遮断手段から構成されることを特徴とする請求項１に記載のネットワークインターフェース。
【発明の詳細な説明】
【技術分野】
【０００１】
本発明は、有線通信を行うためのネットワークインターフェースに関する。
【背景技術】
【０００２】
ＩＥＥＥ８０２．３等のネットワークにパーソナルコンピュータ等の情報処理機器を接続する際には、ネットワークインターフェースが用いられる。
【０００３】
このようなネットワークインターフェースでは、伝送路に対する信号の送受信は、パルストランスを介して行うようになっており、直流的には伝送路とネットワークインターフェースとが分離された状態になっているのが一般的である。
【０００４】
しかしながら、通信相手のネットワークインターフェースがパルストランスを使用しておらず、その内部ロジックに異常があるときは自装置であるネットワークインターフェースのパルストランスに直流電流が流れることがある。また、誤って、正規とは異なる電子機器が接続されると、パルストランスに直流電流が流れることがある。
【０００５】
このようなパルストランスは細い配線から構成されているため、直流電流が流れてしまうと焼損してしまう。トランスに直流電流が流れることを防止する従来の技術としては、例えばトランスを構成するコイルと直列にコンデンサを接続することが考えられる（例えば特許文献１参照）。
【特許文献１】特開２００２−３５４７１１号公報（例えば、第１ページ、図１）
【発明の開示】
【発明が解決しようとする課題】
【０００６】
ところで、ネットワークインターフェースには、複数の伝送速度を切り換えて動作するものがある。このようなネットワークインターフェースでは、伝送速度によって信号の周波数が変わるため、上述のように単純にトランスのコイルと直列にコンデンサを接続しただけでは、伝送速度によってトランス結合部分の特性に違いが生じてしまう。
【０００７】
そこで、本発明は、上記事情を考慮し、トランスの焼損を防止することができるネットワークインターフェースを提供することを目的とする。さらに、本発明は、複数の周波数に対応した特性を有するネットワークインターフェースを提供することを目的とする。
【課題を解決するための手段】
【０００８】
請求項１に記載の発明は、伝送路に対する信号の送受信を行うトランスと、トランスの伝送路側の巻き線に直列に接続され，伝送路と当該巻き線とを直流的に切断する直流切断手段とを有することを特徴とする。
【０００９】
請求項１に記載の発明によれば、伝送路側に直流電圧が印加された場合に、直流切断手段によってトランスに直流電流が流れることが防止される。
【００１０】
請求項２に記載の発明は、請求項１に記載の発明において、直流切断手段が、信号の周波数に応じた通過帯域を有する複数の遮断手段から構成されることを特徴とする。
【００１１】
請求項２に記載の発明によれば、複数の異なる周波数の信号は、各々対応する遮断手段を介してトランスに供給される。
【発明の効果】
【００１２】
請求項１に記載の発明は、伝送路側に直流電圧が印加された場合においても、トランスに直流電流が流れることを防止してトランスの焼損防止に寄与することができる。
【００１３】
請求項２に記載の発明は、直流切断手段が、信号の周波数に応じた通過帯域を有する複数の遮断手段から構成されることにより、複数の信号周波数に対する特性の改善に寄与することができる。
【発明を実施するための最良の形態】
【００１４】
次に、本発明の一実施形態に係るネットワークインターフェースについて、図面を参照して説明する。
【００１５】
図１に示すように、このネットワークインターフェース１０は、内部ロジック１１を介して接続された情報処理装置と伝送路２０との間で、例えばＩＥＥＥ８０２．３等に準拠して１０ＭＨｚと１００ＭＨｚの周波数で通信を行うものである。このネットワークインターフェース１０は、伝送路２０とトランス結合するためのトランス１２と、このトランス１２と伝送路２０とを直流的に遮断する直流切断部（直流切断手段）１３と、伝送路２０と接続されるコネクタ１４とを備えている。
【００１６】
この図１の例では、伝送路２０は、所謂リバースケーブルから構成されており、通信相手側の情報処理装置のネットワークインターフェース１０に接続されている場合について示しているが、ハブを介して通信相手側のネットワークインターフェース１０に接続することもできる。
【００１７】
直流切断部１３は、複数のコンデンサ（遮断手段）Ｃ１，Ｃ２を備えている。これらのコンデンサＣ１，Ｃ２は、寄生誘導成分を有しており、例えば図２及び図３に示すような周波数特性を有している。
【００１８】
コンデンサＣ１のインピーダンスは、図２に示すように、１０ＭＨｚ付近で、トランス１２の伝送路２０側の巻き線のインピーダンスである１００Ωに対して、非常に小さく（例えば１０００分の１〜１００分の１程度）なるようになっている。このため、１０ＭＨｚで通信を行う際には、トランス１２と伝送路２０の間の信号はコンデンサＣ１を通って伝送される。
【００１９】
また、コンデンサＣ２のインピーダンスは、図３に示すように、１００ＭＨｚ付近で、トランス１２の伝送路２０側の巻き線のインピーダンスである１００Ωに対して、非常に小さく（例えば１０００分の１〜１００分の１程度）なるようになっている。このため、１００ＭＨｚで通信を行う際には、トランス１２と伝送路２０の間の信号はコンデンサＣ２を通って伝送される。
【００２０】
さらに、これらのコンデンサＣ１，Ｃ２は、図２及び図３に示すように、直流成分に対しては、大きなインピーダンスになっており、実質上は直流成分を遮断することができるようになっている。
【００２１】
このように構成されたネットワークインターフェース１０では、伝送路２０に誤って直流電圧が印加された場合でも、直流切断部１３によって直流電圧が切断され、トランス１２の伝送路２０側の巻き線には直流電流が流れない。このため、このような場合にトランス１２が焼損してしまうことを防止することができる。
【００２２】
また、このネットワークインターフェース１０では、伝送される信号の周波数毎に、トランス１２の伝送路２０側の巻き線に対するインピーダンスが無視し得るコンデンサＣ１，Ｃ２を設けたため、複数の信号周波数に対する特性の改善に寄与することができる。
【００２３】
なお、上述の例では、トランス１２に流れる直流成分を切断する直流切断部１３に、コンデンサＣ１，Ｃ２を用いた例を説明したが、コンデンサの代わりにヒューズを用いることもできる。ヒューズの定格をトランス１２の伝送路２０側の巻き線の定格の１．５倍程度以上としておけば、直流電圧が印加され、大きな直流電流が流れた場合に、このヒューズが切断され、トランス１２の焼損を防止することができる。
【００２４】
また、信号の周波数が１つの場合には、直流切断部１３に設けるコンデンサは１つだけで足りる。あるいはコンデンサの通過帯域が広く、複数の周波数の信号において、トランス１２の伝送路２０側の巻き線のインピーダンスに対して無視し得る程度であれば、直流切断部１３に設けるコンデンサは１つでもよい。
【００２５】
また、信号の周波数がさらに多くなった場合、例えば図５に示すように、各周波数毎に対応したコンデンサＣ１，Ｃ２，Ｃ３を設けることができる。ここで、コンデンサＣ１，Ｃ２は、上述の図２及び図３に示す特性を有し、コンデンサＣ３は、例えば１０００ＭＨｚ付近でトランス１２の伝送路２０側の巻き線のインピーダンスに対して無視し得る程度となるものとする。このような構成とすることにより、１０ＭＨｚ，１００ＭＨｚ，１０００ＭＨｚの周波数に対応させることができる。
【図面の簡単な説明】
【００２６】
【図１】本発明の一実施形態に係るネットワークインターフェースの構成を示す図である。
【図２】本発明の一実施形態に係るネットワークインターフェースの直流遮断部を構成するコンデンサの周波数特性を示す図である。
【図３】直流遮断部を構成する他のコンデンサの周波数特性を示す図である。
【図４】直流遮断部の周波数特性を示す図である。
【図５】本発明の一実施形態に係るネットワークインターフェースの他の構成例を示す図である。
【符号の説明】
【００２７】
１０  ネットワークインターフェース
１１  内部ロジック
１２  トランス
１３  直流切断部
１４  コネクタ
２０  伝送路
Ｃ１，Ｃ２，Ｃ３  コンデンサ
【図１】
2005277695.tif 000003
【図２】
2005277695.tif 000004
【図３】
2005277695.tif 000005
【図４】
2005277695.tif 000006
【図５】
2005277695.tif 000007